(57)【要約】    【課題】  媒体に所定時期に応じて又は関連して表示される画像と、端末装置の表示部の画像の重畳的表示を時間経過に応じ連動させる経時連動表示システム等の提供。    【解決手段】  端末装置Ｓと情報処理装置Ｃは通信網Ｎを介して接続する。所定媒体Ｂは所定時期に応じて又は関連して表示される特定画像Ｍを有する。端末装置Ｓは、所定媒体Ｂが有する特定画像Ｍを含む画像を撮像する撮像部Ｒと、特定画像Ｍを含む画像を表示する表示部Ｄを有する。現在時期が当該所定時期に対応する時期以降である場合に、情報処理装置Ｃは、所定情報取得手段により取得された所定情報に基づき、画像情報記憶手段に記憶された当該所定時期に関連する画像情報を通信網Ｎを介して端末装置Ｓに送り、端末装置Ｓは、表示部Ｄに表示される特定画像Ｍを含む画像に、所定時期に関連する画像情報に基づく画像を重畳的に表示する。【選択図】      図１
2018060381.tif 000002
【特許請求の範囲】
【請求項１】
所定媒体と、通信網を介して接続する端末装置及び情報処理装置とを備えてなる経時連動表示システムであって、
前記所定媒体は、１又は２以上の所定時期にそれぞれ応じて又は関連して視覚により直接認識できるように表示される特定画像を有し、
前記端末装置は、前記所定媒体が有する前記特定画像を含む画像を撮像し得る撮像部と、前記特定画像を含む画像を表示し得る表示部を有し、
前記情報処理装置は、前記各所定時期に関連する画像情報を記憶する画像情報記憶手段を有し、
前記端末装置又は情報処理装置は、前記特定画像から所定情報を取得する所定情報取得手段を有し、
現在時期が当該所定時期に対応する時期以降である場合に、前記情報処理装置は、所定情報取得手段により取得された所定情報に基づき、前記画像情報記憶手段に記憶された当該所定時期に関連する画像情報を通信網を介して前記端末装置に送り、前記端末装置は、その表示部に表示される前記特定画像を含む画像に、前記所定時期に関連する画像情報に基づく画像を重畳的に表示することにより、前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示システム。
【請求項２】
通信網を介して接続する端末装置及び情報処理装置を備えてなる経時連動表示システムであって、
前記端末装置は、所定媒体が有する前記特定画像を含む画像を撮像し得る撮像部と、前記特定画像を含む画像を表示し得る表示部を有し、
前記所定媒体は、１又は２以上の所定時期にそれぞれ応じて又は関連して視覚により直接認識できるように表示される特定画像を有するものであり、
前記情報処理装置は、前記各所定時期に関連する画像情報を記憶する画像情報記憶手段を有し、
前記端末装置又は情報処理装置は、前記特定画像から所定情報を取得する所定情報取得手段を有し、
現在時期が当該所定時期に対応する時期以降である場合に、前記情報処理装置は、所定情報取得手段により取得された所定情報に基づき、前記画像情報記憶手段に記憶された当該所定時期に関連する画像情報を通信網を介して前記端末装置に送り、前記端末装置は、その表示部に表示される前記特定画像を含む画像に、前記所定時期に関連する画像情報に基づく画像を重畳的に表示することにより、前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示システム。
【請求項３】
上記端末装置又は情報処理装置は現在時期の情報を取得する手段を有し、上記所定情報に所定時期の情報が含まれており、上記の現在時期が当該所定時期に対応する時期以降である場合が、前記現在時期の情報と前記所定情報に含まれている所定時期の情報に基づき判定される請求項１又は２記載の経時連動表示システム。
【請求項４】
上記情報処理装置は現在時期の情報を取得する手段を有し、
上記画像情報記憶手段における各所定時期に関連する画像情報の記憶は、その所定時期の情報と関連付けてなされるものであり、
上記の現在時期が当該所定時期に対応する時期以降である場合が、前記現在時期の情報と上記所定情報に対応する画像情報に関連付けられて画像情報記憶手段に記憶された所定時期の情報に基づき判定される請求項１又は２記載の経時連動表示システム。
【請求項５】
上記の現在時期が当該所定時期に対応する時期以降である場合が、現在時期が当該所定時期に対応する時期以降の所定期間内である場合である請求項１乃至４の何れか１項に記載の経時連動表示システム。
【請求項６】
１又は２以上の所定時期にそれぞれ応じて又は関連して視覚により直接認識できるように表示される特定画像を有する所定媒体が有する特定画像を含む画像を撮像し得る撮像部と前記特定画像を含む画像を表示し得る表示部を有する端末装置と、通信網を介して接続する情報処理装置であって、
前記各所定時期に関連する画像情報を記憶する画像情報記憶手段を有し、
前記端末装置又は情報処理装置は、前記特定画像から所定情報を取得する所定情報取得手段を有し、
現在時期が当該所定時期に対応する時期以降である場合に、所定情報取得手段により取得された所定情報に基づき、前記画像情報記憶手段に記憶された当該所定時期に関連する画像情報を通信網を介して前記端末装置に送るものであり、
前記端末装置は、その表示部に表示される前記特定画像を含む画像に、前記所定時期に関連する画像情報に基づく画像を重畳的に表示することにより、前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする情報処理装置。
【請求項７】
上記端末装置又は情報処理装置は現在時期の情報を取得する手段を有し、上記所定情報に所定時期の情報が含まれており、上記の現在時期が当該所定時期に対応する時期以降である場合が、前記現在時期の情報と前記所定情報に含まれている所定時期の情報に基づき判定される請求項６記載の情報処理装置。
【請求項８】
上記情報処理装置は現在時期の情報を取得する手段を有し、
上記画像情報記憶手段における各所定時期に関連する画像情報の記憶は、その所定時期の情報と関連付けてなされるものであり、
上記の現在時期が当該所定時期に対応する時期以降である場合が、前記現在時期の情報と上記所定情報に対応する画像情報に関連付けられて画像情報記憶手段に記憶された所定時期の情報に基づき判定される請求項６記載の情報処理装置。
【請求項９】
上記の現在時期が当該所定時期に対応する時期以降である場合が、現在時期が当該所定時期に対応する時期以降の所定期間内である場合である請求項６乃至８の何れか１項に記載の情報処理装置。
【請求項１０】
１又は２以上の所定時期にそれぞれ応じて又は関連して視覚により直接認識できるように表示される特定画像を有する所定媒体と、通信網を介して接続する端末装置及び情報処理装置とを備えてなるシステムにより行われる経時連動表示方法であって、
前記端末装置は、前記所定媒体が有する前記特定画像を含む画像を撮像し得る撮像部と、前記特定画像を含む画像を表示し得る表示部を有し、
前記情報処理装置は、前記各所定時期に関連する画像情報を記憶する画像情報記憶手段を有し、
前記端末装置又は情報処理装置が前記特定画像から所定情報を取得する所定情報取得工程と、
現在時期が当該所定時期に対応する時期以降である場合に、前記情報処理装置が、前記所定情報取得工程において取得された所定情報に基づき、前記画像情報記憶手段に記憶された当該所定時期に関連する画像情報を通信網を介して前記端末装置に送る画像情報送信工程と、
前記端末装置が、その表示部に表示される前記特定画像を含む画像に、前記所定時期に関連する画像情報に基づく画像を重畳的に表示する重畳表示工程を有し、
前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示方法。
【請求項１１】
通信網を介して接続する端末装置及び情報処理装置とを備えてなるシステムにより行われる経時連動表示方法であって、
前記端末装置は、所定媒体が有する前記特定画像を含む画像を撮像し得る撮像部と、前記特定画像を含む画像を表示し得る表示部を有し、
前記所定媒体は、１又は２以上の所定時期にそれぞれ応じて又は関連して視覚により直接認識できるように表示される特定画像を有するものであり、
前記情報処理装置は、前記各所定時期に関連する画像情報を記憶する画像情報記憶手段を有し、
前記端末装置又は情報処理装置が前記特定画像から所定情報を取得する所定情報取得工程と、
現在時期が当該所定時期に対応する時期以降である場合に、前記情報処理装置が、前記所定情報取得工程において取得された所定情報に基づき、前記画像情報記憶手段に記憶された当該所定時期に関連する画像情報を通信網を介して前記端末装置に送る画像情報送信工程と、
前記端末装置が、その表示部に表示される前記特定画像を含む画像に、前記所定時期に関連する画像情報に基づく画像を重畳的に表示する重畳表示工程を有し、
前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示方法。
【請求項１２】
上記端末装置又は情報処理装置は現在時期の情報を取得する手段を有し、上記所定情報に所定時期の情報が含まれており、上記の現在時期が当該所定時期に対応する時期以降である場合が、前記現在時期の情報と前記所定情報に含まれている所定時期の情報に基づき判定される請求項１０又は１１記載の経時連動表示方法。
【請求項１３】
上記情報処理装置は現在時期の情報を取得する手段を有し、
上記画像情報記憶手段における各所定時期に関連する画像情報の記憶は、その所定時期の情報と関連付けてなされるものであり、
上記の現在時期が当該所定時期に対応する時期以降である場合が、前記現在時期の情報と上記所定情報に対応する画像情報に関連付けられて画像情報記憶手段に記憶された所定時期の情報に基づき判定される請求項１０又は１１記載の経時連動表示方法。
【請求項１４】
上記の現在時期が当該所定時期に対応する時期以降である場合が、現在時期が当該所定時期に対応する時期以降の所定期間内である場合である請求項１０乃至１３の何れか１項に記載の経時連動表示方法。
【発明の詳細な説明】
【技術分野】
【０００１】
本発明は、媒体に表示される画像と、端末装置の表示部における画像の重畳的表示を行う経時連動表示システム、情報処理装置及び経時連動表示方法に関する。
【背景技術】
【０００２】
特開２０１６−１２２２７１号公報には、紙メディアとウェブメディアとを結合することによって、紙メディアの持つ能動性を生かしたマーケティングシステムとして、紙面にマーカーを有し、マーカーには紙メディアＩＤが埋め込まれている紙メディアと、マーカーを読み込むために、ユーザーによって操作されるカメラ付きの携帯端末と、携帯端末を用いたマーカーの読み込みによって接続され、専用アプリケーションソフトを携帯端末にダウンロード可能にするシステムサイトＣと、専用アプリケーションソフトからの情報を維持管理して、紙メディアのマーカーによって識別される紙メディアＩＤに結び付けるとともに、紙メディアによって生じた効果を紙メディアに帰属させるメールを配信するシステムサーバーＤとを具備するものが開示されている。
【０００３】
同公報には、紙メディアの配布の日時、配布の位置、配布員に係る情報の関連付けを可能とする内容も記載されている。
【０００４】
しかしながら、紙メディアとウェブメディアによる画像の重畳的表示を時間の経過に応じて連動させるシステム等についての内容は含まれていない。
【先行技術文献】
【特許文献】
【０００５】
【特許文献１】特開２０１６−１２２２７１号公報
【発明の概要】
【発明が解決しようとする課題】
【０００６】
本発明は、媒体に所定時期に応じて又は関連して表示される画像と、端末装置の表示部における画像の重畳的表示を、時間の経過に応じて連動させることができる経時連動表示システム、情報処理装置、及び経時連動表示方法を提供することを目的とする。
【課題を解決するための手段】
【０００７】
本発明の経時連動表示システム及びその関連技術は、次のように表すことができる。
【０００８】
(1) 所定媒体と、通信網を介して接続する端末装置及び情報処理装置とを備えてなる経時連動表示システムであって、
前記所定媒体は、１又は２以上の所定時期にそれぞれ応じて又は関連して視覚により直接認識できるように表示される特定画像を有し、
前記端末装置は、前記所定媒体が有する前記特定画像を含む画像を撮像し得る撮像部と、前記特定画像を含む画像を表示し得る表示部を有し、
前記情報処理装置は、前記各所定時期に関連する画像情報を記憶する画像情報記憶手段を有し、
前記端末装置又は情報処理装置は、前記特定画像から所定情報を取得する所定情報取得手段を有し、
現在時期が当該所定時期に対応する時期以降である場合に、前記情報処理装置は、所定情報取得手段により取得された所定情報に基づき、前記画像情報記憶手段に記憶された当該所定時期に関連する画像情報を通信網を介して前記端末装置に送り、前記端末装置は、その表示部に表示される前記特定画像を含む画像に、前記所定時期に関連する画像情報に基づく画像を重畳的に表示することにより、前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示システム。
【０００９】
(2) 通信網を介して接続する端末装置及び情報処理装置を備えてなる経時連動表示システムであって、
前記端末装置は、所定媒体が有する前記特定画像を含む画像を撮像し得る撮像部と、前記特定画像を含む画像を表示し得る表示部を有し、
前記所定媒体は、１又は２以上の所定時期にそれぞれ応じて又は関連して視覚により直接認識できるように表示される特定画像を有するものであり、
前記情報処理装置は、前記各所定時期に関連する画像情報を記憶する画像情報記憶手段を有し、
前記端末装置又は情報処理装置は、前記特定画像から所定情報を取得する所定情報取得手段を有し、
現在時期が当該所定時期に対応する時期以降である場合に、前記情報処理装置は、所定情報取得手段により取得された所定情報に基づき、前記画像情報記憶手段に記憶された当該所定時期に関連する画像情報を通信網を介して前記端末装置に送り、前記端末装置は、その表示部に表示される前記特定画像を含む画像に、前記所定時期に関連する画像情報に基づく画像を重畳的に表示することにより、前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示システム。
【００１０】
(3) 上記端末装置又は情報処理装置は現在時期の情報を取得する手段を有し、上記所定情報に所定時期の情報が含まれており、上記の現在時期が当該所定時期に対応する時期以降である場合が、前記現在時期の情報と前記所定情報に含まれている所定時期の情報に基づき判定される上記(1)又は(2)記載の経時連動表示システム。
【００１１】
(4) 上記情報処理装置は現在時期の情報を取得する手段を有し、
上記画像情報記憶手段における各所定時期に関連する画像情報の記憶は、その所定時期の情報と関連付けてなされるものであり、
上記の現在時期が当該所定時期に対応する時期以降である場合が、前記現在時期の情報と上記所定情報に対応する画像情報に関連付けられて画像情報記憶手段に記憶された所定時期の情報に基づき判定される上記(1)又は(2)記載の経時連動表示システム。
【００１２】
(5) 上記の現在時期が当該所定時期に対応する時期以降である場合が、現在時期が当該所定時期に対応する時期以降の所定期間内である場合である上記(1)乃至(4)の何れか１項に記載の経時連動表示システム。
【００１３】
(6) １又は２以上の所定時期にそれぞれ応じて又は関連して視覚により直接認識できるように表示される特定画像を有する所定媒体が有する特定画像を含む画像を撮像し得る撮像部と前記特定画像を含む画像を表示し得る表示部を有する端末装置と、通信網を介して接続する情報処理装置であって、
前記各所定時期に関連する画像情報を記憶する画像情報記憶手段を有し、
前記端末装置又は情報処理装置は、前記特定画像から所定情報を取得する所定情報取得手段を有し、
現在時期が当該所定時期に対応する時期以降である場合に、所定情報取得手段により取得された所定情報に基づき、前記画像情報記憶手段に記憶された当該所定時期に関連する画像情報を通信網を介して前記端末装置に送るものであり、
前記端末装置は、その表示部に表示される前記特定画像を含む画像に、前記所定時期に関連する画像情報に基づく画像を重畳的に表示することにより、前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする情報処理装置。
【００１４】
(7) 上記端末装置又は情報処理装置は現在時期の情報を取得する手段を有し、上記所定情報に所定時期の情報が含まれており、上記の現在時期が当該所定時期に対応する時期以降である場合が、前記現在時期の情報と前記所定情報に含まれている所定時期の情報に基づき判定される上記(6)記載の情報処理装置。
【００１５】
(8) 上記情報処理装置は現在時期の情報を取得する手段を有し、
上記画像情報記憶手段における各所定時期に関連する画像情報の記憶は、その所定時期の情報と関連付けてなされるものであり、
上記の現在時期が当該所定時期に対応する時期以降である場合が、前記現在時期の情報と上記所定情報に対応する画像情報に関連付けられて画像情報記憶手段に記憶された所定時期の情報に基づき判定される上記(6)記載の情報処理装置。
【００１６】
(9) 上記の現在時期が当該所定時期に対応する時期以降である場合が、現在時期が当該所定時期に対応する時期以降の所定期間内である場合である上記(6)乃至(8)の何れか１項に記載の情報処理装置。
【００１７】
(10) １又は２以上の所定時期にそれぞれ応じて又は関連して視覚により直接認識できるように表示される特定画像を有する所定媒体と、通信網を介して接続する端末装置及び情報処理装置とを備えてなるシステムにより行われる経時連動表示方法であって、
前記端末装置は、前記所定媒体が有する前記特定画像を含む画像を撮像し得る撮像部と、前記特定画像を含む画像を表示し得る表示部を有し、
前記情報処理装置は、前記各所定時期に関連する画像情報を記憶する画像情報記憶手段を有し、
前記端末装置又は情報処理装置が前記特定画像から所定情報を取得する所定情報取得工程と、
現在時期が当該所定時期に対応する時期以降である場合に、前記情報処理装置が、前記所定情報取得工程において取得された所定情報に基づき、前記画像情報記憶手段に記憶された当該所定時期に関連する画像情報を通信網を介して前記端末装置に送る画像情報送信工程と、
前記端末装置が、その表示部に表示される前記特定画像を含む画像に、前記所定時期に関連する画像情報に基づく画像を重畳的に表示する重畳表示工程を有し、
前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示方法。
【００１８】
(11) 通信網を介して接続する端末装置及び情報処理装置とを備えてなるシステムにより行われる経時連動表示方法であって、
前記端末装置は、所定媒体が有する前記特定画像を含む画像を撮像し得る撮像部と、前記特定画像を含む画像を表示し得る表示部を有し、
前記所定媒体は、１又は２以上の所定時期にそれぞれ応じて又は関連して視覚により直接認識できるように表示される特定画像を有するものであり、
前記情報処理装置は、前記各所定時期に関連する画像情報を記憶する画像情報記憶手段を有し、
前記端末装置又は情報処理装置が前記特定画像から所定情報を取得する所定情報取得工程と、
現在時期が当該所定時期に対応する時期以降である場合に、前記情報処理装置が、前記所定情報取得工程において取得された所定情報に基づき、前記画像情報記憶手段に記憶された当該所定時期に関連する画像情報を通信網を介して前記端末装置に送る画像情報送信工程と、
前記端末装置が、その表示部に表示される前記特定画像を含む画像に、前記所定時期に関連する画像情報に基づく画像を重畳的に表示する重畳表示工程を有し、
前記所定媒体に１又は２以上の所定時期にそれぞれ応じて又は関連して視覚により直接認識できるように表示される特定画像と、前記端末装置の表示部における当該特定画像を含む画像と当該所定時期に関連する画像情報に基づく画像の重畳的表示を、時間の経過に応じて連動させるものであることを特徴とする経時連動表示方法。
【００１９】
(12) 上記端末装置又は情報処理装置は現在時期の情報を取得する手段を有し、上記所定情報に所定時期の情報が含まれており、上記の現在時期が当該所定時期に対応する時期以降である場合が、前記現在時期の情報と前記所定情報に含まれている所定時期の情報に基づき判定される上記(10)又は(11)記載の経時連動表示方法。
【００２０】
(13) 上記情報処理装置は現在時期の情報を取得する手段を有し、
上記画像情報記憶手段における各所定時期に関連する画像情報の記憶は、その所定時期の情報と関連付けてなされるものであり、
上記の現在時期が当該所定時期に対応する時期以降である場合が、前記現在時期の情報と上記所定情報に対応する画像情報に関連付けられて画像情報記憶手段に記憶された所定時期の情報に基づき判定される上記(10)又は(11)記載の経時連動表示方法。
【００２１】
(14) 上記の現在時期が当該所定時期に対応する時期以降である場合が、現在時期が当該所定時期に対応する時期以降の所定期間内である場合である上記(10)乃至(13)の何れか１項に記載の経時連動表示方法。
【発明の効果】
【００２２】
本発明によれば、所定媒体に１又は２以上の所定時期にそれぞれ応じて又は関連して視覚により直接認識できるように表示される特定画像と、端末装置の表示部における当該特定画像を含む画像と当該所定時期に関連する画像情報に基づく画像の重畳的表示を、時間の経過に応じて連動させることができる。
【図面の簡単な説明】
【００２３】
【図１】経時連動表示システムの構成の概略図である。
【図２】端末装置及び情報処理装置における処理の概略を示すフローチャートである。
【発明を実施するための形態】
【００２４】
[1] 本発明の実施の形態
【００２５】
本発明の実施の形態の一例としての経時連動表示システムについて図面を参照しつつ説明する。
【００２６】
(1) 経時連動表示システムの構成
【００２７】
(1-1) この経時連動表示システムは、所定媒体Ｂと、通信網Ｎ（インターネット）を介して接続する多数の端末装置Ｓ及び情報処理装置Ｃとを備えてなる。
【００２８】
(1-2) 所定媒体Ｂは、特定の年の各月の月間スケジュール表が紙に印刷されてなる手帳である。各月の月間スケジュール表の頁には、その月にそれぞれ応じて、視覚により直接認識できる特定画像Ｍが印刷されている。
【００２９】
(1-3) 各端末装置Ｓは、撮像部Ｒ、表示部Ｄ、送受信部Ｕ及び端末制御部Ｔを有する。
【００３０】
撮像部Ｒは、所定媒体Ｂが有する特定画像Ｍを含む画像を撮像し得るものであり、光学レンズを介してＣＣＤ撮像素子に結像した像を画像信号し変換して出力し得る。
【００３１】
表示部Ｄは、撮像部Ｒが撮像した特定画像Ｍを含む画像を、その画像信号に基づき液晶パネルに表示するものである。
【００３２】
送受信部Ｕは、情報処理装置Ｃと通信網Ｎを介して通信するためのものである。
【００３３】
端末制御部Ｔは、撮像部Ｒによる撮像、表示部Ｄによる表示、送受信部Ｕによるデータ等の送受信の制御、各種情報データの読み書きなどの処理を行うＣＰＵ（中央処理装置）、ＲＡＭ、各種の制御などのためのプログラム及び各種データが書き込まれたＲＯＭ、周辺機器等との接続のための入出力インターフェイスなど（図示せず。）からなる。端末制御部Ｔは、必要な周辺機器等と連係して、画像の重畳的表示（ＡＲ表示等）を行う機能、所定情報取得手段等を実現する。
【００３４】
(1-4) 情報処理装置Ｃは、情報処理装置制御部Ｅと送受信部Ｆを有する
【００３５】
送受信部Ｆは、多数の端末装置Ｓと通信網Ｎを介して通信するためのものである。
【００３６】
情報処理装置制御部Ｅは、送受信部Ｆによるデータ等の送受信の制御、画像情報その他の各種情報データの読み書きなどの処理を行うＣＰＵ（中央処理装置）、ＲＡＭ、各種の制御などのためのプログラム及び各種データが書き込まれたＲＯＭ、時計手段、周辺機器等との接続のための入出力インターフェイスなどからなる。情報処理装置制御部Ｃは、必要な周辺機器等と連係して、各種機能を実現する。
【００３７】
(2) 端末装置及び情報処理装置における処理の概略
【００３８】
端末装置Ｓの撮像部Ｒにより、所定媒体Ｂが有する特定の年の所定の月（所定時期）に応じた特定画像Ｍを含む画像を撮像し（S1）、特定画像Ｍから所定情報を取得する。
【００３９】
所定情報を取得したならば（S2-Y）、その所定情報を情報処理装置Ｃへ通信網Ｎを介して送信する（S3）。
【００４０】
情報処理装置Ｃは、所定情報を受信したならば（C1-Y）、情報処理装置制御部Ｅの時計情報から現在時期情報を取得し（C2）、現在時期が当該所定時期に対応する時期以降であるならば（C3-Y）、情報処理装置Ｃは、その所定情報に基づき、ＲＡＭから記憶された当該所定時期に関連する画像情報を取得し（C4）、通信網Ｎを介して端末装置Ｓに送信する（C5）。
【００４１】
端末装置Ｓは、その画像情報を受信したならば（S4-Y）、その表示部Ｄに表示される特定画像を含む画像に、所定時期に関連する画像情報に基づく画像を重畳的に表示（ＡＲ表示等）する（S5）。
【００４２】
[2] 上記以外の形態を含めた本発明の実施の形態
【００４３】
本発明の実施の形態を、上記以外の形態を含めて更に説明する。
【００４４】
本発明の経時連動表示システムは、所定媒体と、通信網（インターネット、その他のグローバルネットワーク、イントラネット等を含む）を介して接続する１又は２以上の端末装置及び情報処理装置とを備えてなるものであるか、或いは、通信網介して接続する１又は２以上の端末装置及び情報処理装置を備えてなるものである
【００４５】
(1) 所定媒体は、１又は２以上の所定時期にそれぞれ応じて又は関連して視覚により直接認識できるように表示される特定画像を有する。
【００４６】
所定媒体の例としては、紙又はその他の印刷媒体に対する印刷物が最も一般的であり、具体的には、例えば、特定の年の各月の月間スケジュール表が印刷されている手帳や日誌、日めくりカレンダーであって、所定の月の頁若しくは所定の日の頁に、それぞれの月又は日に対応する特定画像（特定画像自体がその月又は日を認識し得るものであることは要しない）が表示されているもの、各種印刷物における所定の月又は日の欄若しくは所定の月又は日との関連がわかる箇所に、それぞれの月又は日に対応する特定画像が表示されているもの、或いは、各種印刷物に月又は日を認識し得る特定画像が表示されているものを挙げることができるが、これらに限るものではない。例えば、現在時期の表示がある建築物等における現在時期の表示を含む部分を特定画像とすることもできる。
【００４７】
所定時期は、年、月、日、時、分、秒等、及びこれらの組み合わせの何れとすることもでき、所定媒体は、１、２、３又は４以上、好ましくは多数の所定時期にそれぞれ応じて又は関連して視覚により直接認識できるように表示される特定画像を有するものとすることができる。
【００４８】
(2) 各端末装置は、撮像部と表示部を有する。
【００４９】
撮像部は、所定媒体が有する特定画像を含む画像を撮像し得るものであり、例えば、光学レンズを介してＣＣＤ若しくはその他の撮像素子に結像した像を画像信号し変換して出力し得るものである。
【００５０】
表示部は、特定画像を含む画像を表示し得るものであり、例えば、撮像部が撮像した画像の画像信号に基づき液晶パネル又はその他の表示デバイスに表示するものや、画像を光学的に透過して表示するもの等を挙げることができる。
【００５１】
端末装置は、また、情報処理装置と通信網を介して通信するための送受信部；撮像部による撮像、表示部による表示、送受信部によるデータ等の送受信の制御、各種情報データの読み書きなどの処理を行うＣＰＵ（中央処理装置）、ＲＡＭ、各種の制御などのためのプログラム及び各種データが書き込まれたＲＯＭ、周辺機器等との接続のための入出力インターフェイスなどからなる端末制御部を有するものとすることができる。端末制御部は、必要な周辺機器等と連係して、画像の重畳的表示（ＡＲ表示等）を行う機能、必要に応じ、所定情報取得手段、現在時期情報取得手段等を実現するものとすることができる。
【００５２】
(3) 情報処理装置は、画像情報記憶手段を有する。
【００５３】
画像情報記憶手段は、各所定時期に関連する画像情報（文字を含んでもよい）を記憶する。各所定時期に関連する画像情報の記憶は、例えば、その所定時期の情報と関連付けて記憶するものとすることができる。
【００５４】
所定時期に関連する画像情報としては、例えば、その時期又はその時期以降若しくはその時期以降のある期間に（或いはその時期又はその時期以降若しくはその時期以降のある期間にのみ）適した内容の画像情報を挙げることができ、予め用意できるものと、各種競技やイベントの結果等に関連するもののようにその時期が到来しなければ用意できないものがある。
【００５５】
情報処理装置（例えば複数のサーバーを含むものであってもよい）は、また、１又は２以上の端末装置と通信網を介して通信するための送受信部；送受信部によるデータ等の送受信の制御、画像情報その他の各種情報データの読み書きなどの処理を行うＣＰＵ（中央処理装置）、ＲＡＭ、各種の制御などのためのプログラム及び各種データが書き込まれたＲＯＭ、周辺機器等との接続のための入出力インターフェイスなど（図示せず。）からなる情報処理装置制御部を有するものとすることができる。情報処理装置制御部は、必要な周辺機器等と連係して、必要に応じ、所定情報取得手段、現在時期情報取得手段等を実現するものとすることができる。
【００５６】
(4) 端末装置又は情報処理装置は、（必要に応じ通信網を介して得られた）特定画像から所定情報を取得する所定情報取得手段を有する。
【００５７】
端末装置が所定情報取得手段を有する場合は、撮像部により撮像されて得られた特定画像（例えば所定のマーカを含む画像）の画像情報を端末装置の所定情報取得手段において解析し、所定情報を取得する。その所定情報を端末装置から情報処理装置に送信するものとすることもできる。
【００５８】
情報処理装置が所定情報取得手段を有する場合は、端末装置の撮像部により撮像されて得られた特定画像（例えば所定のマーカを含む画像）の画像情報を通信網を介して受信し、情報処理装置の所定情報取得手段において解析し、所定情報を取得する。
【００５９】
所定情報取得手段が取得する所定情報には、所定時期の情報が含まれるものとすることもできる。
【００６０】
(5) 現在時期が当該所定時期に対応する時期以降である場合に、情報処理装置は、所定情報取得手段により取得された所定情報（端末装置が所定情報取得手段を有する場合は通信網を介して得られた［受信した］所定情報）に基づき、前記画像情報記憶手段に記憶された当該所定時期に関連する画像情報を通信網を介して端末装置に送り、端末装置は、その表示部に表示される特定画像を含む画像に、所定時期に関連する画像情報に基づく画像を重畳的に表示（ＡＲ表示等）する。
【００６１】
(5-1) 現在時期が当該所定時期に対応する時期以降であるか否かの判定（必要であれば、例えば当該所定時期に対応する時期以降の所定期間内であるか否かの判定）は、端末装置又は情報処理装置において行うものとすることができる。
【００６２】
例えば、端末装置に、所定時期の情報を含む所定情報を取得する所定情報取得手段及び現在時期の情報を内部の時計手段等又は外部から（通信網を介して）取得する現在時期情報取得手段を有するものとし、端末装置において、現在時期が当該所定時期に対応する時期以降であるか否かの判定を行って判定結果を端末装置から通信網を介して情報処理装置に送信するものとすることができる。
【００６３】
また情報処理装置に、現在時期の情報を内部の時計手段等又は外部から（通信網を介して）取得する現在時期情報取得手段を有し、情報処理装置において取得した所定情報又は端末装置から受信した所定情報に含まれ得る所定時期の情報又は所定情報に対応する画像情報に関連付けられて画像情報記憶手段に記憶された所定時期の情報（若しくはその他の所定情報に対応して記憶されている所定時期の情報）に基づき、情報処理装置において、現在時期が当該所定時期に対応する時期以降であるか否かの判定を行うものとすることもできる。
【００６４】
或いは、画像情報記憶手段に、取得して端末装置に送り得る状態で所定時期に関連する画像情報が記憶されていることが、現在時期が当該所定時期に対応する時期以降であることに対応しているものとすることもできる。
【００６５】
(5-2) 情報処理装置における判定又は情報処理装置が受信した判定等により、現在時期が当該所定時期に対応する時期以降である場合（或いは、例えば当該所定時期に対応する時期以降の所定期間内である場合）、情報処理装置は、所定情報取得手段により取得された所定情報（端末装置が所定情報取得手段を有する場合は通信網を介して得られた［受信した］所定情報）に基づき、画像情報記憶手段に記憶された当該所定時期に関連する画像情報を取得し、それを通信網を介して端末装置に送信するものとすることができる。
【００６６】
(5-3) 当該所定時期に関連する画像情報を通信網を介して受信した端末装置は、その表示部に表示される特定画像を含む画像に、受信した所定時期に関連する画像情報に基づく画像を重畳的に表示（ＡＲ表示等）する。
【００６７】
(5-4) 以上により、所定媒体に１又は２以上の所定時期にそれぞれ応じて又は関連して視覚により直接認識できるように表示される特定画像と、端末装置の表示部における当該特定画像を含む画像と当該所定時期に関連する画像情報に基づく画像の重畳的表示を、時間の経過に応じて連動させることができる。
【００６８】
(6) なお、所定時期に関連する画像情報に加えて音声情報を情報処理装置において記憶しておき、画像情報と共に通信網を介して端末装置に送信するものとすることもできる。
【００６９】
また、所定時期に関連する画像情報を通信網を介して受信した端末装置より、関連する又はその他の情報（動画、静止画、文字、音声）の要求や所定のウェブページへのリンクを行うことができるものとすることもできる。
【符号の説明】
【００７０】
Ｂ  所定媒体
Ｃ  情報処理装置
Ｄ  表示部
Ｅ  情報処理装置制御部
Ｆ  送受信部
Ｍ  特定画像
Ｎ  通信網
Ｒ  撮像部
Ｓ  端末装置
Ｔ  端末制御部
Ｕ  送受信部
【図１】
2018060381.tif 000003
【図２】
2018060381.tif 000004